(57)【特許請求の範囲】
【請求項１】
前面が開放されたベースと、背面が開放され、正面側が低くなるように傾斜させた上面前部と、その後方に天井面と略平行に連続形成された上面後部とに吸込口が設けられ、背面側から正面側に行くに従って上方に上がるように湾曲させた底面部に吹出口が設けられて前記ベースに装着される前面パネルとで本体ケースが構成され、前記前面パネルに設けられた挿脱口から可撓性を有するフィルタが前記吸込口に対向して挿脱可能に装着され、前記吸込口と前記吹出口とを結ぶ空気通路に、熱交換器と送風ファンとが設けられてなる空気調和機において、
前記前面パネルの上面前部の前縁下端と前記底面部の前縁上端との交差部に、同底面部に連続形成された略垂直壁と、同略垂直壁の下端後部に後方に延びるように連続形成された水平壁と、前記略垂直壁に対向してその後部に設けられた前記挿脱口とからなる保持部を設ける一方、前記フィルタの基端部に把手を連続形成し、前記フィルタを前記挿脱口から挿入して装着した際、前記保持部で前記把手を係脱可能に保持するようにしたことを特徴とする空気調和機。
【請求項２】
前記略垂直壁の表面が、前記底面部と同様の意匠面としてなることを特徴とする請求項１に記載の空気調和機。
【請求項３】
前記把手が、少なくとも前記保持部の略垂直壁および水平壁に沿うように形成された略垂直面および水平面からなり、これら略垂直面および水平面を前記略垂直壁および前記水平壁で受けることにより前記把手を保持するようにしたことを特徴とする請求項１に記載の空気調和機。
【請求項４】
前記挿脱口は、その上部周縁が前記把手の後端部よりも後方に位置にするように形成されてなることを特徴とする請求項１または請求項３に記載の空気調和機。
【請求項５】
前記挿脱口の上部周縁は、前記フィルタの表面に対し前端側が少許拡開するように傾斜させてなることを特徴とする請求項１または請求項４に記載の空気調和機。
【請求項６】
前記保持部の略垂直壁と、同略垂直壁に沿う前記把手の略垂直面とを、少許前方に傾斜させたことを特徴とする請求項３に記載の空気調和機。
【請求項７】
前記把手の略垂直面の上端後部に、後方に延びる水平状の手掛け片を連続形成したことを特徴とする請求項３または請求項６に記載の空気調和機。
【請求項８】
前記手掛け片の後端縁を、少許前方に傾斜させた前記把手の略垂直面と略平行に傾斜させるか、もしくは断面円弧形状で形成したことを特徴とする請求項６または請求項７に記載の空気調和機。
【発明の詳細な説明】
【０００１】
【発明の属する技術分野】
本発明は、壁面取付けまたは天井吊下げ型の空気調和機に係わり、より詳細には、本体ケースに設けられたフィルタ用の挿脱口を目立たせないようにして意匠性を損ねることがないようにした構造に関する。
【０００２】
【従来の技術】
従来の壁面取付けまたは天井吊下げ型の空気調和機は、図３（Ａ）および図３（Ｂ）で示すように、前面が開放されたベース１と、背面が開放され、正面側が低くなるように傾斜させた上面前部２と、その後方に天井面と略平行に連続形成された上面後部３とに吸込口４が設けられ、背面側から正面側に行くに従って上方に上がるように湾曲させた底面部５に吹出口６が設けられて前記ベース１に装着される前面パネル７とで本体ケースが構成され、前記前面パネル７に設けられた挿脱口８から可撓性を有するフィルタ９が前記吸込口４に対向して挿脱可能に装着され、前記吸込口４と前記吹出口６とを結ぶ空気通路に、熱交換器10と送風ファン11とが設けられてなる構成であった。
【０００３】
しかしながら、前記挿脱口８が使用者によって容易に視認できる位置に設けられていることから、同挿脱口８を前記フィルタ９の基端部に連続形成された把手13' で閉塞したとしても、これら挿脱口８の周縁部や把手13' の表面が目立ってしまうことになって意匠性を損ねてしまう恐れがあった。
【０００４】
【発明が解決しようとする課題】
本発明においては、上記の問題点に鑑み、本体ケースに設けられたフィルタ用の挿脱口を目立たせないようにして意匠性を損ねることがないようにした壁面取付けまたは天井吊下げ型の空気調和機を提供することを目的とする。
【０００５】
【課題を解決するための手段】
本発明は、上記課題を解決するため、前面が開放されたベースと、背面が開放され、正面側が低くなるように傾斜させた上面前部と、その後方に天井面と略平行に連続形成された上面後部とに吸込口が設けられ、背面側から正面側に行くに従って上方に上がるように湾曲させた底面部に吹出口が設けられて前記ベースに装着される前面パネルとで本体ケースが構成され、前記前面パネルに設けられた挿脱口から可撓性を有するフィルタが前記吸込口に対向して挿脱可能に装着され、前記吸込口と前記吹出口とを結ぶ空気通路に、熱交換器と送風ファンとが設けられてなる空気調和機において、
前記前面パネルの上面前部の前縁下端と前記底面部の前縁上端との交差部に、同底面部に連続形成された略垂直壁と、同略垂直壁の下端後部に後方に延びるように連続形成された水平壁と、前記略垂直壁に対向してその後部に設けられた前記挿脱口とからなる保持部を設ける一方、前記フィルタの基端部に把手を連続形成し、前記フィルタを前記挿脱口から挿入して装着した際、前記保持部で前記把手を係脱可能に保持するようにした構成となっている。
【０００６】
また、前記略垂直壁の表面が、前記底面部と同様の意匠面としてなる構成となっている。
【０００７】
また、前記把手が、少なくとも前記保持部の略垂直壁および水平壁に沿うように形成された略垂直面および水平面からなり、これら略垂直面および水平面を前記略垂直壁および前記水平壁で受けることにより前記把手を保持するようにした構成となっている。
【０００８】
また、前記挿脱口は、その上部周縁が前記把手の後端部よりも後方に位置にするように形成された構成となっている。
【０００９】
また、前記挿脱口の上部周縁は、前記フィルタの表面に対し前端側が少許拡開するように傾斜させた構成となっている。
【００１０】
また、前記保持部の略垂直壁と、同略垂直壁に沿う前記把手の略垂直面とを、少許前方に傾斜させた構成となっている。
【００１１】
また、前記把手の略垂直面の上端後部に、後方に延びる水平状の手掛け片を連続形成した構成となっている。
【００１２】
更に、前記手掛け片の後端縁を、少許前方に傾斜させた前記把手の略垂直面と略平行に傾斜させるか、もしくは断面円弧形状で形成した構成となっている。
【００１３】
【発明の実施の形態】
以下、本発明の実施の形態を図面に基づいた実施例として詳細に説明する。
図１は本発明による壁面取付けまたは天井吊下げ型の空気調和機の説明図で、（Ａ）は断面図、（Ｂ）は要部断面図であり、図２は本発明による壁面取付けまたは天井吊下げ型の空気調和機のフィルタの挿脱状態を示す説明図で、（Ａ）は断面図、（Ｂ）は要部断面図である。
【００１４】
図において、１は前面が開放されて壁面取付けまたは天井吊下げ型の空気調和機を構成するベース、７は背面が開放され、正面側が低くなるように傾斜させた上面前部２と、その後方に天井面と略平行に連続形成された上面後部３とに吸込口４が設けられ、背面側から正面側に行くに従って上方に上がるように湾曲させた底面部５に吹出口６が設けられて前記ベース１に装着される前面パネルで、同前面パネル７と前記ベース１とで本体ケースが構成されている。
８は前記前面パネル７に設けられ、前記吸込口４に対向させるように可撓性を有するフィルタ９を挿脱可能に装着するための挿脱口、10は前記吸込口４と前記吹出口６とを結ぶ空気通路に設けられた熱交換器、11は同空気通路に設けられた送風ファンである。
【００１５】
上記の基本構成でなる壁面取付けまたは天井吊下げ型の空気調和機において、前記本体ケースに設けられたフィルタ用の前記挿脱口を目立たせないようにして意匠性を損ねることがないようにした構造について以下に説明する。
【００１６】
前記前面パネル７の上面前部２の前縁下端と前記底面部５の前縁上端との交差部に、同底面部５に連続形成された略垂直壁12a と、同略垂直壁12a の下端後部に後方に延びるように連続形成された水平壁12b と、前記略垂直壁12a に対向してその後部に設けられた前記挿脱口８とからなる保持部12を設ける一方、前記フィルタ９の基端部に把手13を連続形成し、前記フィルタ９を前記挿脱口８から挿入して装着した際、図２（Ａ）および図２（Ｂ）で示すように、前記保持部12で前記把手13を係脱可能に保持するようにしたことにより、
前記把手13を正確に保持できるようになるとともに、前記挿脱口８および前記把手13を、使用者に向けて目立たせることがない構成となって意匠性を損ねることがないようにした構造となる。
【００１７】
また、前記略垂直壁12a の表面が、前記底面部５と同様の意匠面としてなる構成となっており、これによって、前記保持部12の略垂直壁12a と前記底面部５とをデザイン的に一体化するとともに、前記把手13および前記挿脱口８を正確に遮蔽できるようになって意匠性を向上できる。
【００１８】
また、前記把手13が、少なくとも前記保持部12の略垂直壁12a および水平壁12b に沿うように形成された略垂直面13a および水平面13b からなり、これら略垂直面13a および水平面13b を前記略垂直壁12a および前記水平壁12b で受けることにより前記把手13を保持するようにした構成となっており、これによって、前記把手13および前記挿脱口８を目立ってしまわないように遮蔽した状態で正確に保持できるようになる。
【００１９】
また、前記挿脱口８は、図１（Ｂ）で示す離間部ａのように、その上部周縁8aが前記把手13の後端部よりも後方に位置にするように形成されたことにより、前記フィルタ９を前記挿脱口８から挿脱して取り付けまたは取り外す際、前記把手13を前記保持部12から上方に離脱させながら、可撓性を有する前記フィルタ９の一部を効果的に弾性変形させることができるようになって円滑に取り付けまたは取り外しできるようになる。
【００２０】
また、前記挿脱口８の上部周縁8aは、図１（Ｂ）で示す傾斜角θのように、前記フィルタ９の表面に対し前端側が少許拡開するように傾斜させたことにより、前記フィルタ９を前記挿脱口８から挿脱して取り付けまたは取り外す際、前記把手13を前記保持部12から上方に離脱させながら、可撓性を有する前記フィルタ９の一部をより効果的に弾性変形させ、更に円滑に取り付けまたは取り外しできるようになる。
【００２１】
また、前記保持部12の略垂直壁12a と、同略垂直壁12a に沿う前記把手13の略垂直面13a とを、図１（Ｂ）で示すように少許前方に傾斜させたことにより、前記把手13を、前記保持部12に対して更に容易に、且つ正確に係脱できるようになる。
【００２２】
また、前記把手13の略垂直面12a の上端後部に、図１（Ｂ）で示すように後方に延びる水平状の手掛け片13c を連続形成したことにより、前記把手13に手指を掛けやすくなって、前記フィルタ９を更に容易に、且つ円滑に取り付けまたは取り外しできるようになる。
【００２３】
更に、前記手掛け片13c の後端縁13d を、少許前方に傾斜させた前記把手13の略垂直面12a と略平行に傾斜させるか、もしくは断面円弧形状で形成したことにより、前記把手13に対し更に手指を掛けやすくした構造となる。
【００２４】
以上の構成により、図１（Ａ）および図１（Ｂ）と、図２（Ａ）および図２（Ｂ）とで示すように、前記前面パネル７の上面前部２の前縁下端と前記底面部５の前縁上端との交差部に、同底面部５に連続形成された略垂直壁12a と、同略垂直壁12a の下端後部に後方に延びるように連続形成された水平壁12b と、前記略垂直壁12a に対向してその後部に設けられた前記挿脱口８とからなる保持部12を設ける一方、前記フィルタ９の基端部に把手13を連続形成し、前記フィルタ９を前記挿脱口８から挿入して装着した際、前記保持部12で前記把手13を係脱可能に保持するようにしたので、
前記把手13を正確に保持できるようになるとともに、前記挿脱口８および前記把手13を、使用者に向けて目立たせることがない構成となって意匠性を損ねることがないようにした空気調和機となる。
【００２５】
【発明の効果】
以上説明したように、本発明によれば、本体ケースに設けられたフィルタ用の挿脱口を目立たせないようにして意匠性を損ねることがないようにした壁面取付けまたは天井吊下げ型の空気調和機となる。
【図面の簡単な説明】
【図１】本発明による壁面取付けまたは天井吊下げ型の空気調和機の説明図で、（Ａ）は断面図であり、（Ｂ）は要部断面図である。
【図２】本発明による壁面取付けまたは天井吊下げ型の空気調和機のフィルタの挿脱状態を示す説明図で、（Ａ）は断面図あり、（Ｂ）は要部断面図である。
【図３】従来例による壁面取付けまたは天井吊下げ型の空気調和機の説明図で、（Ａ）は断面図であり、（Ｂ）は斜視図である。
【符号の説明】
１  ベース
２  前面パネルの上面前部
３  前面パネルの上面後部
４  吸込口
５  前面パネルの底面部
６  吹出口
７  前面パネル
８  挿脱口
8a  挿脱口の上部周縁
９  フィルタ
10  熱交換器
11  送風ファン
12  保持部
12a 略垂直面
12b 水平壁
13  把手
13a 略垂直面
13b 水平面
13c 手掛け片
13d 後端縁
ａ  離間部
θ  傾斜角
【図１】
0004399957.tif 000002
【図２】
0004399957.tif 000003
【図３】
0004399957.tif 000004